(57)【特許請求の範囲】
【請求項１】
ガイド付き振り出し竿の穂先保護カバーであって、
そのカバー本体には、上側に受入れ口が設けられ、後端が開口した割り筒状の係止駒が内設されており、前記係止駒の内側に、前後及び上方向に貫通したスリットを備えた仕切り部を設けると共に、前記仕切り部から後側に両横方向から延出して筒の内部空間を上方から遮る庇を連設したことを特徴とするガイド付き振り出し竿の穂先保護カバー。
【請求項２】
請求項１に記載したガイド付き振り出し竿の穂先保護カバーにおいて、
係止駒の仕切り部の前面側を受入れ口を超えて上方に突出させたことを特徴とするガイド付き振り出し竿の穂先保護カバー。
【請求項３】
請求項２に記載したガイド付き振り出し竿の穂先保護カバーにおいて、
係止駒の仕切り部の後側の内面を、頂点が前側を向き中心軸より上側を切断面とする切断円錐形にしてスリットより内部空間を広げたことを特徴とするガイド付き振り出し竿の穂先保護カバー。
【請求項４】
請求項３に記載したガイド付き振り出し竿の穂先保護カバーにおいて、
切断円錐形は、頂点が上部にくる斜円錐形になっていることを特徴とするガイド付き振り出し竿の穂先保護カバー。
【請求項５】
請求項２から４のいずれかに記載したガイド付き振り出し竿の穂先保護カバーにおいて、
仕切り部の突出部分と庇とは連結されていることを特徴とするガイド付き振り出し竿の穂先保護カバー。
【発明の詳細な説明】
【技術分野】
【０００１】
本発明は、ガイド付き振り出し竿の穂先保護カバーに関するものである。
【背景技術】
【０００２】
従来繊細な穂先を持つ磯上物竿等に対して、太くて重い石鯛竿や鯉竿、投げ竿等のガイド付き振り出し竿の穂先保護カバーは、特許文献１に示すように、カバー本体内に内設する係止駒の後端にスリット付きの仕切り板を設け、この仕切り板の後端面を二番竿の係止面とすることで、穂先を保護していた。
【先行技術文献】
【特許文献】
【０００３】
【特許文献１】特開昭６３−２８３４１号公報
【発明の概要】
【発明が解決しようとする課題】
【０００４】
而して、ガイド付き振り出し竿を穂先保護カバーに装着したときには、締付けベルトを元竿に巻き回して締付け固定しているが、従来の係止駒では上方向に対しては係止されていなかったため、竿の向け方によっては穂先竿が大きくグラついて係止駒から上方に抜け、穂先竿に後側の重量が掛かって竿管やガイドが損傷してしまう虞があった。
それ故、本発明は、上下方向のグラつきのみならず、竿をどのような方向に向けようとも穂先竿を十分に保護できる新規且つ有用な穂先保護カバーを提供することを目的とする。
【課題を解決するための手段】
【０００５】
締付け固定部の剛性を向上させる等して元竿を如何に強固に締付け固定しても、例えば穂先保護カバーを持って竿を持ち上げたりすると、穂先竿が上方向に大きくグラついてしまう場合がある。
本発明者は、試行錯誤の末、係止駒側に着目し、係止駒の形状に工夫を加えることで、従来と同様の一体成形法で、穂先竿の上方への抜けを阻止できるものを作り出せることを見出し、本発明を完成するに至った。
【０００６】
本発明の請求項１の発明は、ガイド付き振り出し竿の穂先保護カバーであって、そのカバー本体には、上側に受入れ口が設けられ、後端が開口した割り筒状の係止駒が内設されており、前記係止駒の内側に、前後及び上方向に貫通したスリットを備えた仕切り部を設けると共に、前記仕切り部から後側に両横方向から延出して筒の内部空間を上方から遮る庇を連設したことを特徴とするガイド付き振り出し竿の穂先保護カバーである。
【０００７】
請求項２の発明は、請求項１に記載したガイド付き振り出し竿の穂先保護カバーにおいて、係止駒の仕切り部の前面側を受入れ口を超えて上方に突出させたことを特徴とするガイド付き振り出し竿の穂先保護カバーである。
【０００８】
請求項３の発明は、請求項２に記載したガイド付き振り出し竿の穂先保護カバーにおいて、係止駒の仕切り部の後側の内面を、頂点が前側を向き中心軸より上側を切断面とする切断円錐形にしてスリットより内部空間を広げたことを特徴とするガイド付き振り出し竿の穂先保護カバーである。
【０００９】
請求項４の発明は、請求項３に記載したガイド付き振り出し竿の穂先保護カバーにおいて、切断円錐形は、頂点が上部にくる斜円錐形になっていることを特徴とするガイド付き振り出し竿の穂先保護カバーである。
【００１０】
請求項５の発明は、請求項２から４のいずれかに記載したガイド付き振り出し竿の穂先保護カバーにおいて、仕切り部の突出部分と庇とは連結されていることを特徴とするガイド付き振り出し竿の穂先保護カバーである。
【発明の効果】
【００１１】
本発明の穂先保護カバーによれば、竿をどの方向に向けようとも、カバー本体内に穂先竿の竿管が行儀よく収まって穂先竿に後側の重量が掛かることはない。
【図面の簡単な説明】
【００１２】
【図１】本発明の実施の形態に係る穂先保護カバーの側面図である。
【図２】図１の穂先保護カバーのカバー本体に内設した係止駒の斜視図である。
【図３】図２の係止駒の要部の上面図、及び横方向切断断面図である。
【図４】図２の係止駒の上下方向切断断面図である。
【図５】図２の係止駒の後面図である。
【図６】図１の穂先保護カバーへの穂先竿の装着手順を説明する図である。
【発明を実施するための形態】
【００１３】
本発明の実施の形態に係る穂先保護カバー１を、図面にしたがって説明する。
図１中、符号３は透明なカバー本体を示し、樹脂で構成され一体に成形されている。カバー本体３の前側部分は筒状のカバー部５となっており、その前端はキャップ７により閉塞されている。後側部分は上部が切り欠かれて上面に開口しており、大きく切欠かれた後端寄りが竿体取付部９となっており、そこに２つの締付けベルト１１、１１の一端がそれぞれ取り付けられている。
【００１４】
符号１３は係止駒を示し、樹脂により一体に成形されている。この係止駒１３の駒本体１５の下面にはスライド突起１７が形成されており、このスライド突起１７がカバー本体３に形成されたスライド用スリットに嵌り込んで前後方向にスライド移動可能になっている。
【００１５】
以下、係止駒１３の構成について、図２から図５にしたがって詳細に説明する。
駒本体１５は上側が欠けた割り筒状になっており、その軸方向が前後方向を向いている。上側の割り縁によって受入れ口１９が構成されている。駒本体１５の前端は前端壁２１により閉塞され、後端は開口している。
【００１６】
符号２３は仕切り部を示す。この仕切り部２３の前側は平板状をした平板部２５になっており、その板面が前後方向を向いた状態で板厚側の縁が駒本体１５の内側に連設して駒本体１５と一体になっている。この平板部２５の板厚側の縁のうち上側は受入れ口１９を超えて上方突出して、突出部２７になっている。
【００１７】
突出部２７から平板部２５にかけて、挿通用スリット２９が形成されている。図５に示すように、この挿通用スリット２９は突出部２７の上端から下方に切り込まれてなるものであり、縁が上下方向に正立したＵ字形の輪郭線として現れている。この挿通用スリット２９により、突出部２７は左右に分かれて一対となっている。挿通用スリット２９の下端は駒本体１５の内側底面より上がっている。
【００１８】
挿通用スリット２９の縁に連なってその後側に上側が切断して開口した割り筒状体３１が配されている。割り筒状体３１の切断縁が上側開口３３になっている。割り筒状体３１は駒本体１５の受入れ口１９を超えて上方に突出しており、結果的に突出部２７の後端面の下部側とも連結し、突出部２７を後側から支持した状態となっている。
【００１９】
割り筒状体３１は前側が切断円筒状体３５になっており、その内周断面の輪郭線は挿通用スリット２９と同じＵ字形を描いている。
切断円筒状体３５より後側には、頂点が前側を向き中心軸より上部を切断面とする切断円錐状体３７が連なっている。切断円錐状体３７の内周断面の輪郭線は上側が欠けた円弧を描いている。切断円錐状体３７は、頂点がほぼ最上部にくる斜円錐形になっている。
上記構成により、切断円錐状体３７の内部空間は、切断円筒状体３５より左右及び上下に広がっており、後方にいくほど広がりは大きくなっている。
切断円筒状体３５と切断円錐状体３７の内周面の境界は段差なく連続している。
【００２０】
切断円錐状体３７の円弧は円周の２/３を超えているため、上側が内部空間を上方から遮る庇３９となる。上側開口３３の口幅が前後方向では後端を除いて一定なので、後方に向かうほどこの庇３９によって遮られる割合が大きくなる。図５に示すように、この一対の庇３９、３９は後方より見ると、両横側から互いに近づく方句に延びているように見える。庇３９、３９の間の隙間は穂先竿Ｈの竿管ｔが挿通できる程度にあればよい。
【００２１】
割り筒状体３１の上側開口３３を囲む部位は突出部２７と連結して一体になっており、突出部２７が補強されている。
駒本体１５の外面のうち、庇３９を含めた円弧状の後縁部分及び受入れ口１９の縁部分に対応する補強部分４１は肉厚になって補強されている。
【００２２】
次に、穂先竿Ｈの装着状態を説明する。
図１に示す穂先竿Ｈを装着し、その元竿Ｍを締付けベルト１１、１１で締付け固定すると、図３、図４に示すように、穂先竿Ｈの竿管ｔが挿通用スリット２９を通り、穂先竿Ｈの遊動ガイドＧ１と二番竿の固定ガイドＧ２との間に仕切り部２３がくる。ガイドＧ２を備えた二番竿は切断円錐状体３７に後側から当接して前方への移動が規制される。また、庇３９、３９の存在により、二番竿は上方への移動も規制される。さらに、二番竿の竿管は円弧状に係止されるので竿がどの向きを向いてもぐらつかず安定的に収まる。
従って、竿がどの方向を向いても、穂先竿Ｈが係止駒１３から抜けることも、グラつきもない。
【００２３】
次に、穂先の穂先保護カバー１への装着手順を、図６にしたがって説明する。
図６（１）に示すように、穂先保護カバー１の係止駒１３を、最も後側にスライド移動させた状態で、受入れ口１９を斜め上方に向ける向きに片方の手で持ち、もう片方の手で竿の元竿Ｍを持つ。図６（２）に示すように、ガイドＧ１を平板部２５に連設された突出部２７の前面に載せて引っ掛けた後に、元竿Ｍを後側下方に引くことで穂先竿Ｈの竿管ｔ（図１）を伸ばし、ガイドＧ２をガイドＧ１から十分に離す。
次に、図６（３）に示すように、ガイドＧ１を平板部２５側に押し込みながら穂先竿全体を受入れ口１９から駒本体１５内に差込む。このとき、ガイドＧ２は係止駒１３より後方になり、差込み動作には干渉しない。
その後は、図６（４）に示すように、元竿Ｍを押し戻して穂先竿Ｈの竿管ｔを収めながらガイドＧ２を切断円錐状体３７に係止させる。そして、その状態を保ちながら係止駒を最も前側にスライド移動させた後、締付けベルトで元竿Ｍを締め付け固定する。
上記したように突出部２７を利用して穂先竿Ｈの竿菅を伸ばせるので、装着作業が容易になっている。
【００２４】
以上、本発明の実施の形態を説明したが、本発明の具体的構成は上記の実施の形態に限定されるものではなく、本発明の要旨から外れない範囲での設計変更があっても本発明に含まれる。
いずれにしても、特許請求されている形状等を除いては、従来からあるまたは将来案出される形状や製造を任意に組み合わせることができる。
【産業上の利用可能性】
【００２５】
本発明の穂先保護カバーの係止駒は、従来と同様に、樹脂を素材とし一体成形法で製造できるので、製造上の負担はない。
【符号の説明】
【００２６】
１‥‥穂先保護カバー
３‥‥透明なカバー本体              ５‥‥筒状のカバー部
７‥‥キャップ                      ９‥‥竿体取付部
１１‥‥締付けベルト
１３‥‥係止駒                      １５‥‥駒本体
１７‥‥スライド突起                １９‥‥受入れ口
２１‥‥前端壁                      ２３‥‥仕切り部
２５‥‥平板部                      ２７‥‥突出部
２９‥‥挿通用スリット              ３１‥‥割り筒状体
３３‥‥上側開口                    ３５‥‥切断円筒状体
３７‥‥切断円錐状体                ３９‥‥庇
４１‥‥補強部分
Ｍ‥‥元竿                          ｔ‥‥穂先竿の竿管
Ｇ１‥‥穂先竿の遊動ガイド          Ｇ２‥‥二番竿の固定ガイド
H‥‥穂先竿
【図１】
0005771091.tif 000002
【図２】
0005771091.tif 000003
【図３】
0005771091.tif 000004
【図４】
0005771091.tif 000005
【図５】
0005771091.tif 000006
【図６】
0005771091.tif 000007